【事件の表示】
　特許第２７６１８５８号「遊技機」の特許に対する特許異議の申立てについて、次のとおり決定する。
【結　論】
　訂正を認める。
　特許第２７６１８５８号の特許を維持する。
【理　由】
（１）手続きの経緯
　本件特許２７６１８５８号に係る出願は、昭和６１年１２月３０日に出願された特願昭６１−３１１９８３号の一部を特許法第４４条第１項の規定により新たな特許出願として、平成７年９月１１日に分割出願され、平成１０年３月２７日にその発明について特許の設定登録がなされ、その後、その特許について、特許異議申立人アルゼ株式会社より特許異議申立てがなされ、取消理由通知がなされ、その指定期間内である平成１１年６月８日に訂正請求がなされ、訂正拒絶理由通知がなされ、その指定期間である平成１２年１月２６日に手続補正がされたものである。
（２）訂正の適否についての判断
ア．補正の適否
補正事項ａ
　請求項１の「着脱可能に構成された遊技機」とあるのを「着脱可能に構成された遊技盤」と補正する。
補正事項ｂ
　段落【００５６】の「あるいは遊技機本体用の電気装置の修理交換時などに、いちいち給電線を切断してハンダ付けし直す必要がなく単にコネクタを抜き差しするのみで良いため、遊技盤等の交換を容易かつ迅速に」とあるのを「いちいち給電線を切断してハンダ付けし直す必要がなく単にコネクタを抜き差しするのみで良いため、遊技盤の交換を容易かつ迅速に」と補正する。
　補正事項ａ及び補正事項ｂは、訂正明細書の記載を特許明細書の記載に戻すものであるので、訂正請求書の要旨を変更するものではなく、特許法第１２０条の４第３項において準用する同法第１３１条第２項の規定に適合する。
イ．訂正の内容
訂正事項ａ
　特許請求の範囲の【請求項１】の
「上記遊技機の裏面一側には、供給電源に接続して電源の供給を受ける電源取入手段と、遊技において発生する遊技球情報などを中継して遊技機外部へ出力するための複数の接続端子とを基板に集約して備えた端子ユニットを設け、
　上記端子ユニットには、上記遊技制御基盤に電源を供給するための着脱可能な遊技盤用給電コネクタと、上記遊技機本体に配設された遊技用電気装置に電源を供給するための着脱可能な遊技機本体用給電コネクタとをそれぞれ別個に設け、」を、
「上記遊技機の裏面一側には、供給電源に接続して電源の供給を受ける単一の電源取入手段と、遊技において発生する遊技球情報などを中継して遊技機外部へ出力するための複数の接続端子とを基板に集約して備えた端子ユニットを設け、
　上記端子ユニットには、上記電源取入手段からの同一の電位の電源をそれぞれ上記遊技制御基盤に供給するための着脱可能な遊技盤用給電コネクタと、上記遊技機本体に配設された遊技用電気装置に供給するための着脱可能な遊技機本体用給電コネクタとを別個に設け、」に訂正する。
訂正事項ｂ
　明細書の【０００５】及び【００５６】の
「上記遊技機の裏面一側には、供給電源に接続して電源の供給を受ける電源取入手段と、遊技において発生する遊技球情報などを中継して遊技機外部へ出力するための複数の接続端子とを基板に集約して備えた端子ユニットを設け、
　上記端子ユニットには、上記遊技制御基盤に電源を供給するための着脱可能な遊技盤用給電コネクタと、上記遊技機本体に配設された遊技用電気装置に電源を供給するための着脱可能な遊技機本体用給電コネクタとをそれぞれ別個に設け、」を、
「上記遊技機の裏面一側には、供給電源に接続して電源の供給を受ける単一の電源取入手段と、遊技において発生する遊技球情報などを中継して遊技機外部へ出力するための複数の接続端子とを基板に集約して備えた端子ユニットを設け、
　上記端子ユニットには、上記電源取入手段からの同一の電位の電源をそれぞれ上記遊技制御基盤に供給するための着脱可能な遊技盤用給電コネクタと、上記遊技機本体に配設された遊技用電気装置に供給するための着脱可能な遊技機本体用給電コネクタとを別個に設け、」に訂正する。
ウ．訂正の目的の適否、新規事項の有無及び拡張・変更の存否
　上記訂正事項ａは、特許請求の範囲請求項１の「電源取入手段」を「単一の電源取入手段」に、「電源取入手段からの電源を、遊技制御基盤と遊技用電源装置に供給する」を、「電源取入手段からの同一電位の電源を、遊技制御基盤と遊技用電源装置に供給する」に限定したものであるので、特許請求の範囲の減縮を目的とする訂正に該当し、
　上記訂正事項ｂは、発明の詳細な説明の記載を特許請求の範囲の上記訂正事項ａの記載に整合させるためのものであり、不明りょうな記載の釈明を目的とする訂正に該当する。そして、上記訂正事項ａ，ｂは新規事項の追加に該当せず、実質上特許請求の範囲を拡張又は変更するものではない。
エ．独立特許要件
（訂正明細書の【請求項１】に記載された発明の要旨）
　訂正明細書の【請求項１】に記載された発明の要旨は、その特許請求の範囲の【請求項１】に記載された次のとおりのものである。
【請求項１】
「補助遊技装置などが設けられて遊技機本体に対して着脱可能に構成された遊技盤と、上記補助遊技装置の遊技状態を制御する遊技制御基盤とを備えた遊技機において、
　上記遊技機の裏面一側には、供給電源に接続して電源の供給を受ける単一の電源取入手段と、遊技において発生する遊技球情報などを中継して遊技機外部へ出力するための複数の接続端子とを基板に集約して備えた端子ユニットを設け、
　上記端子ユニットには、上記電源取入手段からの同一の電位の電源をそれぞれ上記遊技制御基盤に供給するための着脱可能な遊技盤用給電コネクタと、上記遊技機本体に配設された遊技用電気装置に供給するための着脱可能な遊技機本体用給電コネクタとを別個に設け、上記遊技盤用給電コネクタと遊技機本体用給電コネクタとを上記端子ユニットの前面側に、相互に抜き差し可能な間隔を設けて配置構成せしめたことを特徴とする遊技機。」（以下、これを「本件訂正発明」という。）
（引用刊行物）
　当審が平成１１年３月１５日付けで通知した取消理由通知で引用した刊行物１〜３には、それぞれ以下の事項が記載されている。
  刊行物１、（実願昭５７−１２６８９０号（実開昭５９−３３４７３号）のマイクロフィルム
　「遊技盤と制御装置とターミナルボックスとを含んでなるパチンコ機において、」（第４頁第１０、１１行）、「遊技盤が着脱自在な構成」（第５頁第２０行）、「第２図は、遊技盤１の遊技部装置群を含む本考案パチンコ機の正面図である。遊技部装置群は、例えば入賞装置１０、ゲーム装置１１および電飾（通常プラスチック成形のゲーム装置等をその裏側から透過照明する）からなる。」（第６頁第１０〜１４行、第２図）、「この図面において、３は裏機構板、４０は制御装置、４３は該制御装置４０の電源コード、１８は打止表示ランプ、５０はターミナルベース、５３は該ターミナルベース５０の電力供給路への配線、２２は上タンク、５２はターミナルベース５０から後述する固定機能部分への配線、１５は駆動表示ランプ、１６は賞球表示ランプ、２３は玉不足検出器、３２は後述の遊技盤側コネクタ部材３０と制御装置側コネクタ部材４１との接続部、２４は賞球表示スイッチ、２５は前記ターミナルベース５０からの配線５２を打球発射装置２６へ接続するコネクタ、２７は打球発射装置２６内の発射モータである。」（第７頁第１６行〜第８頁第８行、第３，４図）、「ターミナルベース５０は、例えば打球発射装置２６、駆動表示ランプ１５、賞球表示ランプ１６、玉不足検出器２３、賞球表示スイッチ２４等からなる固定機能部分からの集約した配線５２と、電力供給路（パチンコ機列島に設備された電力供給源）への配線５３とを備える。このターミナルベース５０には、前記制御装置４０の電源コード４３のコネクタ４２が接続され、該制御装置４０への電源供給がなされる。」（第９頁第１２〜２０行）
　刊行物２、実願昭５６−３５３３６号（実開昭５７−１４９０９１号）のマイクロフィルム
　「管理室に設けた電気的管理装置によつて店内の各パチンコ機の排出数、補給数、入賞率を管理したり打止指令を伝送するために管理装置と各パチンコ機とを電気的に接続する信号ラインをパチンコ機列内に設けなければならない。」（第２頁第１５〜２０行）、「更に管理室から打止指令の信号を伝送する打止用信号供給路３８の屈曲自在な導線も同様に十分弛ませた状態の余裕部を設けて端部を着脱自在端子３３ｃに接続する。」（第８頁第９〜１２行、第６図）、「このような配線構造において第１電力供給路２８ａを流れる高電圧（例えば２４Ｖ）の電気は、入力線３６を介して配電具１８のヒューズ３４に導通し、該ヒューズ３４を通過した後電動式打球発射装置用導線１３’、電動式中央入賞装置用導線１４’などに配電される。また第２電力供給路２８ｂを流れる低電圧（例えば１０Ｖ）の電気は、枝線３１を介して端子３３ａ、３３ｂに導通し、該端子３３ａ、３３ｂから賞球排出表示ランプ用導線１６’等に配電される。」（第９頁第３〜１２行、第４〜６図）
　刊行物３、実願昭５３−１１５９８９号（実開昭５５−３２７５４号）のマイクロフィルム
　「電源ターミナル用のボックス本体に所望広さの余地を備えてヒューズ、ランプ及びコードの引込管を夫々の配置位置に定めて固定着置すると共に一方のカプラーを余地個所に一体的に固着配置せしめることにより構成したパチンコ機におけるターミナルボックス。」（実用新案登録請求の範囲）
（対比・判断）
　本件訂正発明と刊行物１〜３に記載された発明とを対比すると、刊行物１〜３のいずれにも、本件訂正発明の「供給電源に接続して電源の供給を受ける単一の電源取入手段を基板に備えた端子ユニットを設け、上記端子ユニットには、上記電源取入手段からの同一の電位の電源をそれぞれ上記遊技制御基盤に供給するための着脱可能な遊技盤用給電コネクタと、上記遊技機本体に配設された遊技用電気装置に供給するための着脱可能な遊技機本体用給電コネクタとを別個に設け」た構成は記載も示唆もされていない。
　そして、当該構成により、本件訂正発明は、「通常遊技時にはコネクタの端子間が短絡状態にされ、不正遊技検出時には遮断状態にされる」という明細書記載の作用・効果を奏するものである。　したがって、本件訂正発明は、上記刊行物１〜３記載のものから当業者が容易に発明をすることができたものではないので、本件訂正発明が特許出願の際独立して特許を受けることができないものとはいえない。
オ．むすび
　以上のとおりであるから、上記訂正請求は、特許法等の一部を改正する法律（平成６年法律第１１６号）附則第６条第１項の規定により、特許法第１２０条の４第２項、同条第３項において準用する同第１２６条第２〜４項の規定に適合するので、当該訂正を認める。
（３）特許異議申立てについて
ア．本件発明
　本件請求項１に記載された発明（以下、これを「本件発明」という。）の要旨は、平成１１年６月８日付け訂正明細書の請求項１に記載されたとおりのものである（（２）エ．（訂正明細書の【請求項１】に記載された発明の要旨）参照）。
イ．申立ての理由の概要
　特許異議申立人アルゼ株式会社は、本件発明は、その分割出願の基礎となる原出願の公開特許公報である甲第１号証（特開昭６３−１６８１９４号公報）には、遊技盤用給電コネクタと遊技機本体用給電コネクタとをそれぞれ別個に設ける旨の記載ないしは示唆がなされていないので、特許法第４４条第１項に規定する要件を満たしておらず、原出願の出願日へのそ及が認められない。したがって、本件発明は、原出願の公開特許公報である甲第１号証（特開昭６３−１６８１９４号公報）および甲第２号証（特開平５−１６１７４０号公報）に記載された発明から当業者が容易に発明をすることができたものであり、
　また、甲第３号証（実願昭５７−１２６８９０号（実開昭５９−３３４７３号）のマイクロフィルム）、甲第４号証（実願昭５６−３５３３６号（実開昭５７−１４９０９１号）のマイクロフィルム）、甲第５号証（実願昭５３−１１５９８９号（実開昭５５−３２７５４号）のマイクロフィルム）に記載された発明から当業者が容易に発明をすることができたものであるので、特許法第２９条第２項に規定により特許を受けることができないものであり、特許を取り消されるべき旨主張している。
ウ．分割の適否
　甲第１号証には「基板１１上に設けられたフィーダコンセント１６は、遊技制御基盤２から引き出された給電線（図示省略）の端部のプラグが差し込まれることにより、上記給電線１８より供給される２４Ｖの電源電圧を制御基盤２へ供給する」（第３頁右上欄第５〜９行）、「プラグ１８より給電された電源電圧（ＡＣ２４Ｖ）は、給電線１８を介して打球発射モータ４やパイロットランプ１０１，ＬＥＤランプ群１０３ａ、１０３ｂ、１０３ｃ、完了ランプ１０５，賞球ランプ１０６等に供給される。給電線１８の途中にはコネクタ１５が介挿されており、通常遊技時にはコネクタ１５の端子間が短絡状態にされ、不正遊技検出時には遮断状態にされる。」（第４頁左上欄第１３〜２０行）、「第３図の回路からも明らかなように、打球発射系および賞球排出系と、遊技盤における遊技の制御系（破線Ａで示す）とが電気的に完全に分離されているため、パチンコ機の交換に際して遊技盤のみ取り換え、他の部分は元の機械をそのまま使うということが可能となる。」（第４頁左下欄第２０行〜右下欄第５行、第３図）と記載されているから、甲第１号証にも、遊技盤用給電コネクタに相当するフィーダコンセント１６と遊技機本体用給電コネクタに相当するコネクタ１５とをそれぞれ別個に設ける旨の記載がされているものと認められる。
　したがって、本件発明は、適法な分割出願であると認められる。
　よって、本件発明の原出願の公開特許公報である甲第１号証、及び、本件発明の原出願の出願日以降に出願され、公開された甲第２号証に基いて容易に発明をすることができたものとすることはできない。
エ．甲３〜５号証の記載事項
　甲第３号証（実願昭５７−１２６８９０号（実開昭５９−３３４７３号）のマイクロフィルム）
（上記刊行物１参照）
　甲第４号証（実願昭５６−３５３３６号（実開昭５７−１４９０９１号）のマイクロフィルム）
（上記刊行物２参照）
　甲第５号証（実願昭５３−１１５９８９号（実開昭５５−３２７５４号）のマイクロフィルム）
（上記刊行物３参照）
オ．判断
　申立人アルゼ株式会社が提出した甲第３〜５号証（当審で引用した上記刊行物１〜３）のいずれも、本件発明の「供給電源に接続して電源の供給を受ける単一の電源取入手段を基板に備えた端子ユニットを設け、上記端子ユニットには、上記電源取入手段からの同一の電位の電源をそれぞれ上記遊技制御基盤に供給するための着脱可能な遊技盤用給電コネクタと、上記遊技機本体に配設された遊技用電気装置に供給するための着脱可能な遊技機本体用給電コネクタとを別個に設け」た構成を備えておらず、また、これを示唆する記載も認められないことは、上記「（２）エ．独立特許要件（対比・判断）」で述べたとおりである。
　したがって、これら甲各号証に基いて、本件発明は当業者が容易に発明をすることができたものとすることはできない。
カ．むすび
　以上のとおりであるから、特許異議申立の理由及び証拠によっては本件発明についての特許を取り消すことはできない。
　また、他に本件発明についての特許を取り消すべき理由を発見しない。
　よって、結論のとおり決定する。   　
【異議決定日】
平成１２年３月９日（２０００．３．９）
【訂正の要旨】
　訂正の要旨
　［１］訂正事項ａ
　▲１▼特許請求の範囲の記載中の「上記遊技機の裏面一側には、供給電源に接続して電源の供給を受ける電源取入手段と、遊技において発生する遊技球情報などを中継して遊技機外部へ出力するための複数の接続端子とを基板に集約して備えた端子ユニットを設け、上記端子ユニットには、上記遊技制御基盤に電源を供給するための着脱可能な遊技盤用給電コネクタと、上記遊技機本体に配設された遊技用電気装置に電源を供給するための着脱可能な遊技機本体用給電コネクタとをそれぞれ別個に設け、」を、特許請求の範囲の限縮を目的として「上記遊技機の裏面一側には、供給電源に接続して電源の供給を受ける
単一の
上記電源取入手段からの同一の電位の電源をそれぞれ
に供
に供
を別
　▲２▼これに伴い特許請求の範囲と発明の詳細な説明の記載との整合を図るため、明瞭でない記載の釈明を目的として、明細書の【０００５】の記載内容を次のように訂正する。
「【０００５】
　【課題を解決するための手段】
　上記問題点を解決するためこの発明は、補助遊技装置などが設けられて遊技機本体に対して着脱可能に構成された遊技盤と、上記補助遊技装置の遊技状態を制御する遊技制御基盤とを備えた遊技機において、上記遊技機の裏面一側には、供給電源に接続して電源の供給を受ける
単一の
上記電源取入手段からの同一の電位の電源をそれぞれ
に供
に供
を別
　［２］訂正事項ｂ
　明細書の以下の記載を明瞭でない記載の釈明を目的として以下のとおり訂正する。
「【００５６】
　【発明の効果】
　以上説明したようにこの発明は、補助遊技装置などが設けられて遊技機本体に対して着脱可能に構成された遊技盤と、上記補助遊技装置の遊技状態を制御する遊技制御基盤とを備えた遊技機において、上記遊技機の裏面一側には、供給電源に接続して電源の供給を受ける
単一の
上記電源取入手段からの同一の電位の電源を
に供
に供
を別
　また、遊技機本体用給電コネクタと遊技機本体用給電コネクタとを上記端子ユニットの前面側に配置したので、作業者はコネクタ部分を目視しながら給電線を簡単に接続させることができ、コネクタの差し間違いによる遊技機の異常動作もしくは起動不能状態の発生を回避することができるという効果がある。
　さらに、遊技盤用給電コネクタと遊技機本体用給電コネクタを相互に抜き差し可能な間隔を設けて配置するようにしたので、一方のコネクタを抜き差しする際に他方のコネクタが邪魔になることが無く、作業効率が向上し、遊技機交換作業のスピードアップおよび製造時の組み立て作業時間の短縮を図ることができるという効果がある。」
（５４）【発明の名称】
遊技機
（５７）【特許請求の範囲】
　【請求項１】
　補助遊技装置などが設けられて遊技機本体に対して着脱可能に構成された遊技
盤
　上記遊技機の裏面一側には、供給電源に接続して電源の供給を受ける
単一の
　上記端子ユニットには、
上記電源取入手段からの同一の電位の電源をそれぞれ
に供
に供
を別
【発明の詳細な説明】
　【０００１】
　【産業上の利用分野】
　この発明は、遊技機における電源の供給技術に関し、特に遊技制御基盤および遊技用電気装置への電源の供給を端子ユニットに設けられた別個のコネクタを介して行うようにした遊技機に関するものである。
　【０００２】
　【従来の技術】
　従来、パチンコ機のような遊技機における遊技制御基盤や打球発射装置、表示器等の遊技用電気装置への電源の供給は給電線の端部をハンダ付けによって所定の箇所（外部から電源を取り入れる基板等）に接続することによって行なっていた。
　【０００３】
　【発明が解決しようとする課題】
　上記のようにハンダ付けによって給電線を接続箇所に固定させる従来技術にあっては以下のような問題点があった。
　すなわち、遊技機本体に対して遊技盤が着脱可能に構成されている遊技機においては、遊技店において新規機種の導入に際して遊技盤のみ交換したい場合、いちいち給電線を切断してからハンダ付けで接続をし直すという非常に面倒な作業が必要とされ、遊技店の店員に対して多大な労力と時間をかけさせてしまうというものである。
　【０００４】
　また、メーカーにおいても製造時にハンダ付け作業を必要とする工程はラインの効率を低下させ、コストアップを招いてしまう。さらに、ハンダ付けが十分でなかった場合には、遊技機の制御基盤や各種電気機器は給電を受けられないため遊技機は作動しなくなってしまう。製造時における給電線のハンダ付けがうまくいったとしても、例えば遊技店への設置の際や使用中における遊技盤の開閉の際に給電線が作業員の手や他の部品に引っ掛かったりするとハンダ部分がはがれてしまい、遊技機が作動しなくなるという事故や故障が発生するおそれガある。
　この発明の目的は、給電線のハンダ付けを不要として遊技機の組立ておよび遊技盤の交換作業を容易且つ迅速に行なえるとともに、事故や故障が少なくしかもその回復処理が簡単な遊技機を提供することにある。
　【０００５】
　【課題を解決するための手段】
　上記問題点を解決するためこの発明は、補助遊技装置などが設けられて遊技機本体に対して着脱可能に構成された遊技盤と、上記補助遊技装置の遊技状態を制御する遊技制御基盤とを備えた遊技機において、上記遊技機の裏面一側には、供給電源に接続して電源の供給を受ける
単一の
上記電源取入手段からの同一の電位の電源をそれぞれ
に供
に供
を別
　【０００６】
　【作用】
　上記した手段によれば、端子ユニットに、遊技盤用給電コネクタと遊技機本体用給電コネクタとをそれぞれ別個に設けているので、遊技店においては、遊技盤を交換する場合、いちいち給電線を切断してハンダ付けし直す必要がなく単にコネクタを抜き差しするのみで良いため、遊技盤の交換を容易かつ迅速に行なうことができるとともに、メーカーにおいても製造時の面倒なハンダ付け工程を省略し、コネクタヘの差し込み作業に代えることができるため、労力を減らし製造ラインの効率を高めてコストダウンを図ることができる．
　【０００７】
　【実施例】
　図１に本発明に係る端子ユニットを備えたパチンコ機の一実施例を示す背面図が、また図２にその端子ユニットとしての入出力装置の一例の拡大図が示されている。
　その実施例の入出力装置１０は、基板１１と、この基板１１上に固定された４個の受側コネクタ１２、１３、１４、１５と、電源用フィーダコンセント１６と、ブレーカ１７とからなり、基板１１によってパチンコ機１の裏面、右上隅に固定されている。また、入出力装置１０の基板１１には、ＡＣ２４Ｖのような電源に接続されるプラグ１８ａを有する給電用配線１８が接続され、上記フィーダコンセント１６を介して基板１１からパチンコ機裏面に設けられた遊技制御基盤２に給電するようになっている。
　【０００８】
　上記受側コネクタ１２〜１５のうち、コネクタ１２は入賞球検出記号の出力用、コネクタ１３は完了検出信号の出力用、また、コネクタ１４は特別遊技態様検出信号の出力用の接続端子とされる。
　さらに、コネクタ１５は、打球発射モータ制御信号の入力用の接続端子とされる。
　上記コネクタ１２，１３には、パチンコ機裏面の図１に示すような位置にそれぞれ配設されている入賞球検出器ＳＷ１、完了検出器ＳＷ２から引き出された信号線Ｌ１、Ｌ２の他端が接続されている。完了検出器ＳＷ２は賞球排出装置の上タンクが空になったことを検出するマイクロスイッチである。
　【０００９】
　また、上記コネクタ１４には、特別遊技態様発生時に遊技制御基盤２から出力される特別遊技態様検出信号を伝える信号線Ｌ３の一端が接続されている。なお、この信号線は中継基盤３を介して入出カ装置１０へ接続されるようになっている。さらに、コネクタ１５には、打球発射モータ４から金枠スイッチＳＷ３や操作ダイヤルスイッチＳＷ４等を介して引き出された給電線Ｌ４の一端が接続されている。上記金枠スイッチＳＷ３は、遊技機の前面を覆うガラス板を保持する金枠の開閉状態を検出する検出器であって、金枠が閉じているとオンされる。
　一方、基板１１上に設けられたフィーダコンセント１６は、遊技制御基盤２から引き出された給電線（図示省略）の端部のプラグが差し込まれることにより、上記給電線１８より供給される２４Ｖの電源電圧を、制御基盤２へ供給する。
　【００１０】
　また、基板１１上に設けられたブレーカ１７は、制御基盤２から出力される特別遊技態様検出信号を伝える信号線Ｌ３とコネクタ１４との問に介挿され、コネクタ１４に誤って他の配線（特に給電線）のコネクタか接続されたときに遮断状態にされて制御基盤２を保護するようになっている．
　なお、遊技盤の裏面には上記各種検出器ＳＷ１〜ＳＷ４の他に、供給皿および受皿が償品球で一杯になったことを検出するオーバーフローセンサＳＷ５や、リードスイッチ等方からなる磁気センサＳＷ６が設けられている．この磁気センサＳＷ６は、遊技者が磁石を遊技盤前面に近づけて不正な遊技を行なおうとする行為を検出するためのものである．
　【００１１】
　図４には、パチンコ機の具体的な裏機構盤における上記各検出器ＳＷ１、ＳＷ２、ＳＷ５、ＳＷ６のより正確な取付位置を示す。
　図４において、２１は傾動可能な球鞘ケースを有する賞球排出装置、２２は排出前の賞品球を貯留する上タンク、２３は上タンク２２内の予備球を賞球排出装置２１まで誘導するシュートである。
　完了検出器ＳＷ２は、上タンク２２の開口部２２ａの下方に配設され内部の球の重みによって傾動される踏板レバー２４の下部に取り付けられ、踏板レバー２４の傾きを検出することによりタンク内の球の有無を検出する。
　【００１２】
　２５は遊技盤前面に設けられた入賞領域へ入賞し、後方へ誘導された入賞球を一箇所に集合させる集合棚で、この集合棚２５は中央に向かって下り傾斜され、その終端に入賞球分離装置２６が設けられている。入賞球分離装置２６で一ずつ分離された入賞球は、誘導樋２７を流下して作動レバー２８を回動させる。この回動動作が連動拝２９を介して前記賞球排出装置２１に伝えられ、球鞘ケースが傾動されることによって所定数の賞品球が排出される。
　上記入賞球誘導樋２７の流下端部に入賞球検出器ＳＷ１が配設され、入賞個数を知ることかできる。また、賞球排出装置２１より排出された賞品球は、賞球導出樋３０内へ流下される。賞球導出樋３０にはダンパプレート３１が設けられており、賞球排出装置２１より排出された賞品球はダンパブレート３１上に落下してこれを回動させる。この動きによって前記入賞球分離装置２６が回動復帰され次の入賞球を受け入れ可能となる。
　【００１３】
　この実施例では、上記ダンパプレート３１の下方に、その動きを検知して賞品球の排出があったことを検出する賞球排出検出器ＳＷ７が設けられている。この検出器ＳＷ７の検出信号は賞球ランプの点灯に使用される。
　さらに、ダンパプレート３１を作動させた賞品球は、連通口３２より遊技盤前面の供給皿へ排出されるが、供給皿が一杯になると分流樋３３を通って供給皿下方の受皿へ流出されるようになっている。そして、この分流樋３３の側壁に受皿が賞品球で一杯になったことを検出するオーバーフロー検出器ＳＷ５が配設されている。磁気センサＳＷ６は遊技盤の略中央位置に埋設されている。
　【００１４】
　図３に、上記各検出器ＳＷ１〜ＳＷ７の検出信号を用いた各種ランプ等の駆動回路と、前記入出力装置１０のコネクタ１２〜１５への接続関係の一例を示す。
　プラグ１８ａより給電された電源電圧（ＡＣ２４Ｖ）は、給電線１８を介して打球発射モータ４やパイロットランプ１０１、ＬＥＤランプ群１０３ａ、１０３ｂ、１０３ｃ、完了ランプ１０５、賞球ランプ１０６等に供給される。給電線１８の途中にはコネクタ１５が介挿されており、通常遊技時にはコネクタ１５の端子問が短絡状態にされ、不正遊技検出時には遮断状態にされる。
　【００１５】
　ここでは、コネクタ１５の端子間が短絡状態になっているものとして説明する。モータ４や各種ランプ１０１、１０３、１０５、１０６への共通給電線Ｌ４の途中に金枠スイッチＳＷ３が設けられており、遊技店の係員が遊技盤前面の金枠を開くとスイッチＳＷ３がオフされ、打球発射モータ４等の駆動が不能となる。
　また、オバーフロースイッチＳＷ５は通常はモータ給電側傾倒されており、この状態でタッチ回路ＴＣＨにより操作ダイヤルヘの接触が検出され、かつダイヤルスイッチＳＷ４がオンされると、打球発射モータ４が駆動されるとともに、パイロットランプ１０１が点灯される。なお、ダイヤルスイッチＳＷ４とモータ４間に直列に接続されているスイッチＳＷ８は単発打ち用のスイッチで、通常はオン状態にされていて単発ボタンを押すとオフされ、打球の非連続的な発射を可能とするものである。
　【００１６】
　一方、遊技中受皿が賞品球で一杯になると、オバーフロースイツチＳＷ５が切り換わって、発射モータ４の駆動が不能にされるとともに、ＬＥＤランプ１０３ｂか点灯される。
　また、完了検出器ＳＷ２によって上タンク２２が空になったことが検出されると完了ランプ１０５が点灯され、賞球排出検出器ＳＷ７によって賞品球が排出されたことが検出されると賞球ランプ１０６が点灯されるようになっている。
　なお、上記完了検出器ＳＷ２は２つのスイッチからなり、一方は前記入出カ装置１０のコネクタ１３に接続されている。
　また、入賞球検出器ＳＷ１はコネクタ１２に接続されている。この入賞球検出器ＳＷ１は上記賞球排出検出器ＳＷ７と兼用することができる。
　【００１７】
　さらに、遊技制御基盤２からコネクタ１４へ出力される特別遊技態様検出信号は、後述の補助遊技装置における特別遊技態様の発生に伴なって制御基盤２から変動入賞装置の開閉用ソレノイド７ａ（図４参照）に対して出力されるターボ出力を利用して形成するようになっている。
　図３の回路からも明らかなように、打球発射系および賞球排出系と、遊技盤における遊技の制御系（破線Ａで示す）とが電気的に完全に分離されているため、パチンコ機の交換に際して遊技盤のみ取り換え、他の部分は元の機械をそのまま使うということが可能となる。
　【００１８】
　図５には、図３に示されている各種ランプ１０１〜１０６の具体的なパチンコ機における取付位置の一例が示されている。
　同図において、４ａは打球発射装置の操作ダイヤル、５はルーレット式の可変表示器からなり特別入賞口６ａや６ｂへの入賞によって起動される補助遊技装置、７は補助遊技装置５における表示が特定の状態に一致した場合に開成趣助される変動入賞装置である。また、８は発射される前の遊技球を保持する供給皿、９は供給皿８が満杯になったとき分流樋より流下される賞品球を貯留する受皿である。
　【００１９】
　この実施例では、遊技盤の左上隅に完了ランプ１０５が、また右上隅に賞球ランプ１０６が配置されている。さらに、パチンコ概の保持枠１１０の上部中央にパイロットランプ１０１が配置されているとともに、供給皿８の前面に遊技中を示すＬＥＤランプ１０３ａ、供給皿と受皿が満杯であることを示すオーバーフロー表示用ＬＥＤランプ１０３ｂおよび上タンクが空になったことを示す完了表示用ＬＥＤランプ１０３ｃを構成するＬＥＤランプ群１０３が設けられている。
　なお、上記パイロットランプ１０１の両側にも一対の表示ランプ１０２が設けられており、例えば特別遊技態様発生表示に使用される。
　【００２０】
　次に、上記実施例の入出カ装置１０を有するパチンコ機と集中管理室の管理装置（コンピュータ）との関係について説明する。
　パチンコ店には、図７に示すように複数個のパチンコ機１が横一列に配置されてなる島設備２００が何列か設けられている。島設備２００の上部には、各パチンコ機に対する球の補給を行なう補給樋が、また下部には各パチンコ機で発生した打込み球（アウト球および入賞球）を回収する回収樋（図示省略）が連続して一方の端から他方の端へ向かって配設されているとともに、パチンコ機とパチンコ機との間には、サンドイッチと呼ばれる球貸し機２０１が例えば一つおきに配設されている。
　【００２１】
　さらに、この実施例のパチンコ機には、例えば図６に示すように前面ガラスを保持する金枠１１１や裏フレーム１１２に印加された静電気を検出する静電気センサ４０が設けられている。この静電気センサ４０は、金枠１１１を裏機構盤の周囲を囲むように設けられた金属製の裏フレーム１１２とともに保持枠１１０に固定するための固定用ボルト１１３とナット１１４によって、裏フレーム１１２のフランジ部１１２ａに、そのリード線４１の端部が固定される。
　静電気センサ４０を設けることにより、遊技客が電子ライタ等を用いて金枠１１１に静電気を与え、これによって遊技盤背部の制御系にノイズを発生させて、変動入賞装置等を不当に動作させるという不正行為を検出すること可能となる。
　【００２２】
　また、各パチンコ機１ごとにその上方に、トラブルが生じた際に係員を呼び寄せるためのフリッカランプ２１０か設けられ、さらに、各島設備ごとにその中のいずれかのパチンコ機においてトラブル等が生じた場合に上記フリッカランプ２１０と連動して点灯もしくは点滅される警報ランプ２２０が、島設備２００の両端上部にそれぞれ設けられている。
　この実施例では、各パチンコ機１の上方の上記フリッカランプ２１０に隣接して前記特別遊技態様の発生回数等を表示可能な大当り回数表示装置２３０を設けてある。
　【００２３】
　そして、各パチンコ機１の制御回路は、前記入出力装置１０を介して上記フリッカランプ２１０や警報ランプ２２０、大当り回数表示装置２３０に接続されている。また、島設備２００の上部には、各パチンコ機に共通の信号線群（以下、バスと称する）が配設され、このバスを介して各パチンコ機１は集中管理室の管理装畳２４０に接続される。なお、管理装置と各パチンコ機との問の信号の入出力を可能にするため、インタフェース装置２５０が各パチンコ機ごとに設けられている。
　図１の実施例のパチンコ機には、その裏面上部に上記フリッカランプ２１０や大当り回数表示装置２３０およびインタフェース装置２５０との問の信号線や給電線の接続を行なうためのコネクタ１２〜１５等が集約的に設けられているため、それらの接続作業が極めて簡単に行なえるようになり、パチンコ機の設置の際のパチンコ店の負担が軽減される。また、パチンコ機背部の配線もすっきりするため、修理、点検作業も容易となる。
　【００２４】
　図８に、本発明に係る入出カ装置１０を備えたパチンコ機１と管理装置２４０、フリッカランプ２１０、警報ランプ２２０および大当り回数表示装置２３０とを用いたパチンコ店全休のシステム構成の一例を示す。
　なお、この実施例のシステムでは、前記島設備２００内に、各パチンコ機に対応してアウト球および入賞球を集合させて下方の回収樋へ流下させる打込球処理ケース２０２を設け、この処理ケース２０２に設けた打込球検出器ＳＷ８からの検出信号も管理装置２４０へ送って統計処理等が行なえるようにされている。
　【００２５】
　また、パチンコ機１の上方には上タンク２２（図４参照）に対応して予備球の補給装置２７０が設けられている。
　この補給装置２７０は補給樋と上タンクとの間の補給経路内に突出されたストッパを作助させるソレノイドＳＯＬと、補給装置による補給が行なわれたことを検知する補給検出器ＳＷ９とを備えている。
　各パチンコ機１と管理装置２４０との間を接続するため５本の信号線１１〜１５と３本電源ライン１６〜１８とからなるバス２６０が設けられている。特に限定されるわけではないが、電源ラインは補給装置用と制御用の２つが設けられている。ただし、グランドラインＧＮＤは共通である。
　【００２６】
　上記バス２６０とパチンコ機側の検出器ＳＷ１、ＳＷ２、ＳＷ３、ＳＷ９および補給用ソレノイドＳＯＬとの間に、前記インタフェース装置２５０が接続され、パチンコ機１と管理装置２４０との間で信号の入出力が可能とされている。
　一方、パチンコ概の入出力装置１０を介して出カされる特別遊技態様発生検出信号（大当り信号）は、フリッカランプ２１０と大当り回数表示装置２３０へ各々供給されて、ランプの点滅と数字による回数表示が行なわれるようにされている。なお、パチンコ機１の制御系への給電は大当り回数表示装置２３０の側から給電線を分岐して行なうようになっている。
　【００２７】
　また、特に限定はされないがフリッカランプ２１０には、上記大当り信号の他にパチンコ機の側から磁気センサＳＷ６と静電気センサ４０からの検出信号が入力されているとともに、フリッカランプ２１０間に設けられた常閉接点型（通常オン状態）のリレー２１１から引き出されたリード線が、パチンコ機の発射モータヘの給電線上に設けられたコネクタ１５に接続されている。そして、上記センサＳＷ６または４０のいずれか一方からの検出信号があると、リレー２１１が作動されて、スイッチがオフされるようになっている。そのため、磁石や静電気による不正があると、発射モータヘの給電が遮断されて打球が発射できない状態になる。これとともに、ランプ２１２が点滅され、警報が発せられる。
　【００２８】
　なお、上記のようなリレー２１１を有しないフリッカランプ２１０を使用するときは、端子間を短絡させるショートコネクタＳＣ（図３参照）を入出力装置１０上のコネクタ１５に差し込んでおけばよい。
　さらに、フリッカランプ２１０からは２本の共通電源線と３本の共通信号線が左右にそれぞれ引き出され、その端部にコネクタ２１７と２１８が取り付けられており、隣接するパチンコ機のフリッカランプ同士を接続できるようになっている。そして、このようにして次々と連続されて引き延ばされた共通信号線と共通電源線の終端には、島設備両端の警報ランプ２２０が接続され、フリッカランプ２１０と同期して警報ランプ２２０が作動される。
　【００２９】
　また、フリッカランプ２１０には、上記不正表示状態を解除するためのリセットスイッチ２１４と、遊技客が係員を呼出すのに使用する呼出しスイッチ２１５とが設けられており、これらのスイッチ２１４と２１５の操作により、それ自身のランプ２１３、２１４とともに警報ランプ２２０の点滅をもコントロールできるようになっている。フリッカランプ２１０内には、上記のような表示制御および発射モータの制御を行なう制御回路が組み込まれている。
　【００３０】
　次に、図８に示されているインタフェース装置２５０の具体的な回路側を図９に示す。同図において破線Ｅで囲まれている部分がインタフェース装畳２５０である。
　この実施例のインタフェース装置に付記されている端子番号１〜１５は図８のそれと対応されている。補給装置２７０内の補給検出器ＳＷ９が接続される端子３と管理装置２４０からのロウアクティブの選択信号ＳＥＬが印加される選択端子７との間には抵抗Ｒ１とダイオードＤ１が、入賞球検出器ＳＷ１が接続される端子１と選択端子７との間には抵抗Ｒ２とダイオードＤ２が、また打込球検出器ＳＷ８が接続される端子２と選択端子７との間には抵抗Ｒ３とダイオードＤ３が各々直列に接続されている。
　【００３１】
　従って、選択端子７がロウレベルにされたとき、上記検出器ＳＷ９、ＳＷ１またはＳＷ８がオンされていれば端子７へ向かって電流が流れるため、そのとき管理装置２４０がバス２６０上の信号線１１、１２、１３を監視していれば、検出器ＳＷ９、ＳＷ１、ＳＷ８が各々オン状態にあるかオフ状態にあるか知ることができる。
　上タンク２２の状態を示す完了検出信号が乗る信号線１４に接続される端子４と上記選択端子７との問にはフォトカプラＰＣ１を構成するフォトトランジスタＰＴ１が、また、＋２４Ｖのような電源電圧が印加される端子１２と完了検出器ＳＷ２が接続される端子６との間には、フォトカプラＰＣ１を構成するフォトダイオードＰＤ１が、それぞれ接続されている。
　【００３２】
　これによって、例えば上タンク２２が空になって完了検出器ＳＷ２がオンされると、フォトダイオードＰＤ１に電流が流れて発光する。そのため、このとき選択端子７がロウレベルにされていると、フォトトランジスタＰＴ１が導通されてコレクタ電流が流れる。そこで、管理装置２４０が信号線１４を監視していれば上タンクが空になった否か知ることができる。
　さらに、管理装置２４０から出力される打止指令信号がのる信号線１５が接続される端子１５と上記選択端子７との間には、フォトカプラＰＣ２を構成するフォトダイオードＰＤ２が、また、電源電圧端子１２とグランド端子１３、１４間にはＰＤ２と対となるフォトトランジスタＰＴ２がそれぞれ接続されている。
　【００３３】
　これとともに、電源電圧端子１２とグランド端子１３、１４間には、リレーＲｙを構成するソレノイドとスイッチトランジスタＴＲ２が直列に接続され、端子１２とトランジスタＴＲ２のベース端子間にはトランジスタＴＲ１が接続されている。一方、補給装置２７０内のソレノイドＳＯＬが接続された端子１０と、完了検出器ＳＷ２が接続された端子９との間には、上記リレーＲｙを構成する常閉型の接点Ｓｒｙ１が接続されている。これによって管理装置２４０から信号線１４上に打止指令信号が出力されるとフォトダイオードＰＤ２が発光してフォトトランジスＰＴ２が導通され、さらにトランジスタＴＲ２がオンされてリレーＲｙのソレノイドに電流が流れ、接点ｓＲＹ１がオフされて、完了検出器ＳＷ２からの検出信号による補給装置２７０の作動が実行されないようになる。
　【００３４】
　また、端子１１と端子８との間には、上記リレーＲｙを構成する常開型の接点Ｓｒｙ２が接続されており、端子１１と８に破線で示すごとくランプＬＭＰを接続することによって、打止表示を行なわせることができる。
　しかも、この実施例では、上記トランジスタＴＲ２のベース端子が抵抗Ｒ１２を介して接続された端子５と、グランド端子１３に直結した端子１４とが設けられている。
　そのため、同図に破線で示すごとく上記端子５と端子１４との間にフォトカプラＰＣ３等のスイッチを接続して、それを打止時にオンさせることでリレーＲｙの作動を停止させて打止時においても補給装置２７０による追加を行なわせることができるようになっている。
　【００３５】
　次に図８に示されているフリッカランプ２１０の具体的な回路構成例を、図１０および図１１を用いて説明する。
　なお、フリッカランプ２１０は、例えば図１２に示すように、内側に一対のランプ２１２が、またその外側に一対のランプ２１３が配置され、前面は半透明なプラスチックパネル２１６等に覆われた構成にされている。そして、パネル２１６の前面ランプ２１２の下方に、呼出しスイッチ２１５が設けられている。
　さらに、左側のランプ２１３の後方に図１０および図１１に示すような制御回路をのせた制御基板２１９が組み込まれている。また、リセットスイッチ２１４（図８参照）はフリッカランプ２１０の後方にリード線により引き出された形で設けられ、島設備の内部に臨むようにされる。つまり、パチンコ機を開かないと操作できないような位置に配設される。
　【００３６】
　図１０には、島設備両側の警報ランプ２２０およびフリッカランプ２１０内のランプ２１２、２１３の点灯駆動信号を形成する制御回路が示されている。
　パチンコ機の入出力装置１０から出力される特別遊技態様検出信号（大当り信号）は、コネクタＣＮＣＴ１よりダイオードブリッジＢＲＧ１を介してリレーＲＬＹ１に供給される。ダイオードブリッジＢＲＧ１があることにより、大当り信号がＤＣ２４Ｖのような直流信号である場合にコネクタのプラスとマイナスの逆差しを許容するとともに、ＡＣ２４Ｖのような交流信号の入カを許容できる。
　【００３７】
　上記リレーＲＬＹ１の次段には、ＲＣ積分回路ＩＴＧ１と発振回路ＯＳＣ１がそれぞれ接続され、積分回路ＩＴＧ１の出力は平滑回路ＳＭＴ、インバータＩＮＶ１を介して時定数の大きな微分回路ＤＦＲ１に入カされる。そして、この微分回路ＤＦＲ１の出力がインバータＩＮＶ２を介してドライバＤＲＶ１に供給され、ドライバＤＲＶ１が駆動されるようになっている。
　【００３８】
　図１３には、コネクタＣＮＣＴ１より入力される大当り信号と上記ドライバＤＲＶ１の出力信号との関係を示す。
　この実施例の大当り信号は、前述したように変動入賞装置７のソレノイドを駆動する信号であり、大当り時には変動入賞装置が最高１０回操り返し開成駆動され、各サイクル間には例えば３秒の休止時間が設けられている。そのため、大当り信号は図１３（Ａ）のようになる。この信号は積分回路ＩＴＧ１によって、同図（Ｂ）のごとく信号の立上がり立下がりがゆるやかにされてから、平滑回路ＳＭＴにより同図（Ｃ）のように信号のひずみが除去される。この信号はインバータＩＮＶ１にて図１３（Ｄ）のごとく波形整形されてから時定数の大きな微分回路ＤＦＲ１に供給される。
　【００３９】
　そのため、微分回路ＤＦＲ１の出カは同図（Ｅ）のようになり、微分回路ＤＦＲ１の出力が次段のインバータＩＮＶ２のしきい値電圧Ｖｔｈを越えた時点で、インバータＩＮＶ２の出力が反転される。この間約２０秒だけドライバＤＲＶ１がオンされるように微分回路ＤＦＲ１の時定数が設定されている。そして、このドライバＤＲＶ１の工藤信号ａは図１１の信号線１１１に出力されて警報ランプ２２０に供給され、大当り発生の際にその発生直後の２０秒間だけ所定のランプが点灯されるようになる。
　【００４０】
　一方、上記発振回路ＯＳＣ１の出カはドライバＤＲＶ２に供給され、リレーＲＬＹ２のソレノイドに電流が流されるようになっている。このリレーＲＬＹ２のソレノイドは図１１に示す接点Ｓｒｙ２をオンさせ、トライアック（サイリスタ）ＴＡ１を導通させて内側ランプ２１２を点滅させる。
　また，図１０のフリッカランプ内制御回路には、磁気センサＳＷ６からの磁気検出信号がコネクタＣＮＣＴ３を入力されるリレーＲＬＹ３が設けられている。このリレーＲＬＹ３は、コネクタＣＮＣＴ２を介してパチンコ機の入出力装畳１０（図２参照）のコネクタ１５に接続される常閉型接点を有しており、磁気センサＳＷ６が磁気を検出するとリレーＲＬＹ３が作動して接点がオフされるようになっている。これによって、パチンコ機の側では打球発射モータヘの電源の供給が遮断され、打球が発射不能にされる。
　【００４１】
　また、磁気センサＳＷ６の検出信号は、コネクタＣＮＣＴ３よりトランジスタＴＲ５を介してリレーＲＬＹ４にも供給されるようになっている。そしてリレーＲＬＹ４の接点のオン、オフ信号はフィードバック経路ＦＢを通して上記リレーＲＬＹ４のソレノイドにフィードバックされている。これによって一旦磁気センサＳＷ６が磁気を検出してリレーＲＬＹ４のソレノイドに電流が流れると、検出信号がなくなってもその電流が流れ続けるように維持される。つまり、一種の状態保持手段（フリップフロップ）が構成されている。ただし、この状態は、リセットスイッチ２１４をオンさせてトランジスタＴＲ５をオフさせることで元の状態に復帰させることができる。
　【００４２】
　そして、上記リレーＲＬＹ４の接点側には、前記リレーＲＬＹ２のドライバＤＲＶ２が接続され、磁気か検出された際にもリレーＲＬＹ２が作動してランプ２１２が点灯され、不正表示を行なう。しかも、その場合、リレーＲＬＹ４の接点側にはドライバＤＲＶ３が接続され、このドライバＤＲＶ３の出力信号ｂが図１１の信号線１１２を介して警報ランプ２２０に供給されて不正表示を行なわせるとともに、リレーＲＬＹ４に接続された発振回路ＯＳＣ２によってドライバＤＲＶ４が適当な周期でオン、オフされ、リレーＲＬＹ５のソレノイドが間欠駆動される。このリレーＲＬＹ５のソレノイドは、図１１に示されている接点Ｓｒｙ５をオンさせる。接点Ｓｒｙ５は通常は電源電圧を接点Ｓｒｙ２に供給させる側に傾倒されており、リレーＲＬＹ５のソレイドが励磁されると他方の側の端子に接続が切り換わる。そのため、その間接点Ｓｒｙ２への給電が遮断され、接点Ｓｒｙ２が連続してオンされているにもかかわらずランプ２１２が消灯される。つまり、磁気検出時には内側のフリッカランプ２１２は点滅駆動される。
　【００４３】
　また、接点Ｓｒｙ５により接点Ｓｒｙ２への給電か遮断されている間は、トライアックＴＡ２が導通されランプ２１３が点灯される。つまり、磁気検出時にはフリッカの外側ランプ２１３は、内側ランプ２１２と交互に点滅駆動されるようになっている。
　さらに、図１０に示されている状態保持用のリレーＲＬＹ４の駆動用トランジスタＴＲ５のベースには、静電気センサ４０からの検出信号が入カされる端子への入力信号に基づいて駆動パルスを形成するパルス形成回路ＰＧＲが接続されている。従ってパチンコ機に取り付けられた静電気センサ４０が静電気を検出した場合にも、磁気検出のときと同様にドライバＤＲＶ２、ＤＲＶ３、ＤＲＶ４が駆動されて、フリッカの内側ランプ２１２と外側ランプ２１３が交互に点滅されるとともに、島設備両端の警報ランプ２２０が点灯されて、不正表示を行なえるようになっている。
　【００４４】
　なお、フリッカランプ前面に設けられた呼出しスイッチ２１５をオンさせることによって形成される呼出し信号ｃは、信号線１１５を介して警報ランプ２２０へ伝えられる。
　配線１１３と１１４は警報ランプ２２０とフリッカランプ２１０との間でＡＣ８Ｖのような電源電圧と接地電位を供給するため電源ラインである。
　【００４５】
　次に図１４を用いて島設備の両端上部に取り付けられる警報ランプ２２０の具体的な構成例を説明する。
　図１４において、２２１は、前記フリッカランプ２１０から延設された信号線の１１１、１１２、１１５端部のコネクタ２１７または２１８に接続可能なコネクであり、フリッカランプ２１０側から大当り信号ａと不正検出信号ｂおよび呼出し信号ｃが供給されるようにされている。
　信号線１１５より入力される呼出し信号ｃは、発振回路ＯＳＣ７に入力され、トランジスタＴＲ７を所定の周期（０．５秒）でオン、オフさせる。これによって、リレーＲＬＹ７のソレノイドに間欠的に電流が流され、接点が開閉してトライアックＴＲ７がオン、オフされ、ランプ（赤）２２７にＡＣ１００Ｖのような電圧を印加させてこれを点滅させる。
　【００４６】
　また，信号線１１２より入力される不正検出信号ｂは発振回路ＯＳＣ８に入カされ、トランジスタＴＲ８を所定の周期（０．３秒）でオン，オフさせる．これによって，リレーＲＬＹ８のソレノイドに間欠的に電流が流され、接点が開閉してトライアックＴＲ８がオン、オフされ、ランプ（黄）２２８にＡＣ１００Ｖのような電圧を印加させてこれを点滅させる。
　さらに、信号線１１１より入カされる大当り信号ａは発振回路ＯＳＣ９に入力され、トランジスタＴＲ９を所定の周期（０．１５秒）でオン、オフさせる。これによって、リレーＲＬＹ９のソレノイドに間欠的に電流が流され、接点が開閉してトライアックＴＲ９がオン、オフされ、ランプ（緑）２２９にＡＣ１００Ｖのような電圧を印加させてこれを点滅させる。
　これによって、パチンコ店の係員は店内のどの位置からでも、いずれの島設備にて不正もしくはトラブルや大当りが発生しているか知ることができる。
　【００４７】
　次に、図８に示されている大当り回数表示装母２３０の具体的な構成例を、図１５および図１６を用いて説明する。
　大当り回数表示装置２３０は、図１５に拡大して示すように、５個のＬＥＤランプ２３１〜２３５と２ケタのセグメント型ＬＥＤ表示器２３６とを有している。ＬＥＤランプ２３１〜２３５のうち縦に並んだ４個のランプ２３１〜２３４は大当り信号が入力されるごとに上から順序に追加点灯される回数表示用、ランプ２３５は打止回数に達したときに点灯される打止表示用である。打止めになるとランプ２３４が点灯される。また、セグメント型表示器２３６は、対応するパチンコ機におけるトータルの大当り発生回数を表示するものである。
　【００４８】
　さらに、大当り回数表示装置２３０内には、打止回数設定用のデイップスイッチ群と、リセットスイッチ２３７および図１６に示すような制御回路が設けられている。このうち、リセットスイッチ２３７は、例えばリードスイッチ等からなり装置の側壁に設けられたキー穴にキー２３８を差し込んで回すとマグネットが接近して作動されるように構成されている。
　制御回路には、図１６に示すように、パチンコ機の側から供給される大当り信号がダイオードブリッジＤＢＲ５を介して印加されるリレーＲＬＹ１１が設けられている。
　【００４９】
　リレーＲＬＹ１１が作動されると、フォトカプラＰＣ１１か導通されて回路Ｆ１において例えば５秒間ハイレベルを維持するような信号Ｑが形成されて、ディップスイッチＤＰ５を介してリレーＲＬＹ１２に伝えられてソレノイドが励磁され、かつ打止表示ランプ２３５が点灯される。すると、リレーＲＬＹ１２の一対の接点Ｓｒｙ１２（図面の下方に表示）が反転されてパチンコ機への給電を遮断するとともに、パチンコ機の側の打止表示ランプ１０５を点灯させる。なお、大当り信号の入カに伴なう上記動作は、デイップスイッチＤＰ５を予めオン側にセットされていることを条件として開始される。
　【００５０】
　一方、上記フォトカプラＰＣ１１の導通によって、フリップフロップ回路Ｆ１の出力／ＱによってカウンタＣＮＴ１とＣＮＴ２が各々カウントアップされ、セグメントドライバＳＧＤＲおよびコモンドライバトランジスタＣＤＴ１、ＣＤＴ２によってセグメント型表示器２３６に大当り回数が表示される。また、カウンタＣＮＴ２の出カによってＬＥＤランプ２３１〜２３４が大当りの回数の分だけ上から順番に追加点灯される。また、カウンタＣＮＴ２の出カは、デイップスイッチＤＰ１〜ＤＰ４を介して上記リレーＲＬＹ１２と打止表示ランプ２３５に供給される。
　【００５１】
　従って、デイップスイッチＤＰ１〜ＤＰ４のうちいずれか一つを選択してオン状態にセットしておくことにより、通常行なわれている入賞球数（出玉）と打込玉数（回収玉）との差で打止め状態とするのではなく、１回〜４回の範囲で任意の大当り回数の時に打止めとし、パチンコ機への電源供給を遮断し、打止表示ランプ２３５や１０５を点灯させることかできる。また、デイップスイッチＤＰ１〜ＤＰ４をすべてオフにしておくことにより、上記した通常の方法で打止状態とする遊技設定も可能である。
　さらに、上記フォトカプラＰＣ１１の導通によって、回路Ｆ２の出力Ｑをハイレベルに変化させて、駆動トランジスタＴＲ１１によって管理装置２４０等へ打止めを知らせたりする信号を出力できるようになっている。
　【００５２】
　また、上記制御回路は、リセットスイッチ２３７をオンさせると、カウンタＣＮＴ２がリセットされて、大当り回数表示ランプ２３１〜２３４および打止表示ランプ２３５、１０５が消灯され、打止め状態が解除されるようになっている。ただし、このときカウンタＣＮＴ１はリセットされず、継続して大当り回数を計数し、その総数を表示する。ＰＯＲ１は、上記回路Ｆ１、Ｆ２、カウンタＣＮＴ２を、またＰＯＲ２はカウンタＣＮＴ１をそれぞれ電源投入時に初期状態にさせるためのパワーオンリセット回路である。従って、カウンタＣＮＴ１は電源がオフされたときにのみクリアされる。
　【００５３】
　図１７に、本発明に係る入出力装置１０を備えたパチンコ機を用いた遊技店のシステム構成の他の実施例を示す。
　この実施例では、各パチンコ機１と管理装置２４０とを結ぶバス２６０に新たに３本の信号線１２１・１２２・１２３を追加し、パチンコ機の側からインタフェース装置２５０を介して信号線１２１に大当り信号を出して管理装置２４０へ知らせると共に、管理装置２４０からはインタフェース装置２５０を介して補給装置２７０に追加補給信号を送出して、打止信号出力中においても追加補給を行なえるようにしている。
　【００５４】
　これによって、大当り発生中に途中で打止めに達しても、追加補給することで大当リ終了まで遊技を継続させることができるようになるとともに、大当り信号や不正検出信号か出力された場合、例えば管理装置２４０内の音声合成装置によって遊技店にある放送システムを利用してパチンコ機の台番号と大当りの発生、又は不正の発生等を自動的に店内放送するようなシステム管理が可能となる。
　従って、従来は遊技店の係員が店内放送していたものが、その煩わしさから解放されると共に、集中管理室で一目でパチンコ機の状態を確認することができるようになる。
　【００５５】
　なお、図８および図１７のシステムでは、いずれも管理装置２４０からインタフェース装置２５０に対して打止信号が送られると、補給装置２７０による補給が行われないように構成しているが、図９のインタフェース装置２５０の端子９と端子１０を用いて補給装置２７０の作動を停止させる代わりに、打止め時には打球発射モータヘの給電を遮断させるように構成してもよい。
　【００５６】
　【発明の効果】
　以上説明したようにこの発明は、補助遊技装置などが設けられて遊技機本体に対して着脱可能に構成された遊技盤と、上記補助遊技装置の遊技状態を制御する遊技制御基盤とを備えた遊技機において、上記遊技機の裏面一側には、供給電源に接続して電源の供給を受ける
単一の
上記電源取入手段からの同一の電位の電源を
に供
に供
を別
　また、遊技機本体用給電コネクタと遊技機本体用給電コネクタとを上記端子ユニットの前面側に配置したので、作業者はコネクタ部分を目視しながら給電線を簡単に接続させることができ、コネクタの差し間違いによる遊技機の異常動作もしくは起動不能状態の発生を回避することができるという効果がある。
　さらに、遊技盤用給電コネクタと遊技機本体用給電コネクタを相互に抜き差し可能な間隔を設けて配置するようにしたので、一方のコネクタを抜き差しする際に他方のコネクタが邪魔になることが無く、作業効率が向上し、遊技機交換作業のスピードアップおよび製造時の組み立て作業時間の短縮を図ることができるという効果がある。
【図面の簡単な説明】
　【図１】
　本発明に係る入出力装置を備えたパチンコ機の裏機構盤の概略的な構成例を示す背面図、
　【図２】
　その入出力装置の構成例を示す拡大正面図、
　【図３】
　パチンコ機に設けられた各種検出器と入出カ装置との関係を示す回路図、
　【図４】
　本発明に係る入出力装置を備えたパチンコ機の裏機構盤の具体的な構成例を示す背面図、
　【図５】
　本発明が適用されたパチンコ機の一例を示す正面図、
　【図６】
　静電気センサの取付け方法を示す拡大斜視図、
　【図７】
　パチンコ店の島設備の構成を示す正面図、
　【図８】
　パチンコ店の制御システムの一例を示すシステム構成図、
　【図９】
　パチンコ機と管理装置をつなぐインタフェース装置の一例を示す回路図、
　【図１０】
　フリッカランプ内の制御回路の一例を示す回路図、
　【図１１】
　フリッカランプのスイッチとランプ等との接続関係を示す回路図、
　【図１２】
　フリッカランプの構成を示す正面図、
　【図１３】
　フリッカランプ制御回路へ入力される大当り信号とそれに基づく内部信号およびランプ駆動信号のタイミングを示す波形図、
　【図１４】
　島設備上部の警報ランプの制御回路を示す回路図、
　【図１５】
　大当り回数表示装置の構成例を示す正面図、
　【図１６】
　大当り回数表示装置内の制御回路例を示す回路図、
　【図１７】
　パチンコ店の制御システムの他の実施例を示すシステム構成図である。
　【符号の説明】
１　パチンコ機
２　制御基盤
４　打球発射モータ
５　補助遊技装置
７　変動入賞装置
８　供給皿
９　受皿
１０　入出力装置
１２〜１５　コネクタ（接続端子）
４０　静電気センサ
２１０　フリッカランプ
２２０　警報ランプ
２３０　大当り回数表示装置
２４０　管理装置
２５０　インタフェース装丘
ＳＷ１　入賞球検出装置
ＳＷ２　完了検出器
ＳＷ３　金枠スイッチ
ＳＷ４　ダイヤルスイッチ
ＳＷ５　オーバーフロー検出器
ＳＷ６　磁気センサ
ＳＷ７　賞球排出検出器
ＳＷ８　ウェイトスイッチ